(57)【要約】【課題】物理レイヤデバイスが実装されていない状態であっても、ＡＴＭレイヤデバイス内にセル滞留を生じさせないバスを構成することを可能とする、ＡＴＭセル送受信制御方式及びその方法並びに移動通信基地局装置を提供する。【解決手段】ＡＴＭレイヤデバイスと複数の物理レイヤデバイスとがバスを介して接続され、前記ＡＴＭレイヤデバイスから前記物理レイヤデバイスへポーリングを行い、このポーリングに対する応答信号を受信して、前記ＡＴＭレイヤデバイスから前記物理レイヤデバイスへセルを送信するようにしたＡＴＭ装置におけるＡＴＭセル送受信制御方式であって、前記ＡＴＭレイヤデバイスは、前記物理レイヤデバイスからの前記応答信号を前記ＡＴＭレイヤデバイスに接続せず、前記応答信号が常時受信許可の状態にあるよう制御する制御手段を備える、ことを特徴とする。【選択図】      図２
2004207966.tif 000002
【特許請求の範囲】
【請求項１】
ＡＴＭ（Asynchronous Transfer Mode：非同期転送モード）レイヤデバイスと複数の物理レイヤデバイスとがバスを介して接続され、前記ＡＴＭレイヤデバイスから前記物理レイヤデバイスへポーリングを行い、このポーリングに対する応答信号を受信して、前記ＡＴＭレイヤデバイスから前記物理レイヤデバイスへセルを送信するようにしたＡＴＭ装置におけるＡＴＭセル送受信制御方式であって、
前記ＡＴＭレイヤデバイスは、前記物理レイヤデバイスからの前記応答信号を前記ＡＴＭレイヤデバイスに接続せず、前記応答信号が常時受信許可の状態にあるよう制御する制御手段を備える、ことを特徴とするＡＴＭセル送受信制御方式。
【請求項２】
前記バスはＵＴＯＰＩＡ（Universal Test and Operation PHY(Physical Layer Protocol) Interface for ATM ）レベル２バスであり、前記応答信号は前記物理レイヤデバイスがセル受信可能であることを示すＴｘＣＬＡＶ信号である、ことを特徴とする請求項１に記載のＡＴＭセル送受信制御方式。
【請求項３】
ＡＴＭレイヤデバイスと複数の物理レイヤデバイスとがバスを介して接続され、前記ＡＴＭレイヤデバイスから前記物理レイヤデバイスへポーリングを行い、このポーリングに対する応答信号を受信して、前記ＡＴＭレイヤデバイスから前記物理レイヤデバイスへセルを送信するようにしたＡＴＭ装置におけるＡＴＭセル送受信制御方式であって、
前記ＡＴＭレイヤデバイスと前記物理レイヤデバイスとの間に、前記物理レイヤデバイスからの前記応答信号が受信非許可を示すものである場合には前記応答信号を前記ＡＴＭレイヤデバイスに接続し、その他の場合には前記応答信号が常時受信許可の状態にあるよう制御する制御回路を備える、ことを特徴とするＡＴＭセル送受信制御方式。
【請求項４】
前記バスはＵＴＯＰＩＡレベル２バスであり、前記応答信号は前記物理レイヤデバイスがセル受信可能であることを示すＴｘＣＬＡＶ信号である、ことを特徴とする請求項３に記載のＡＴＭセル送受信制御方式。
【請求項５】
ＡＴＭレイヤデバイスと複数の物理レイヤデバイスとがバスを介して接続され、前記ＡＴＭレイヤデバイスから前記物理レイヤデバイスへポーリングを行い、このポーリングに対する応答信号を受信して、前記ＡＴＭレイヤデバイスから前記物理レイヤデバイスへセルを送信するようにしたＡＴＭ装置におけるＡＴＭセル送受信制御方法であって、
前記ＡＴＭレイヤデバイスは、前記物理レイヤデバイスからの前記応答信号を前記ＡＴＭレイヤデバイスに接続せず、前記応答信号が常時受信許可の状態にあるよう制御するステップを実行する、ことを特徴とするＡＴＭセル送受信制御方法。
【請求項６】
前記バスはＵＴＯＰＩＡレベル２バスであり、前記応答信号は前記物理レイヤデバイスがセル受信可能であることを示すＴｘＣＬＡＶ信号である、ことを特徴とする請求項５に記載のＡＴＭセル送受信制御方法。
【請求項７】
ＡＴＭレイヤデバイスと複数の物理レイヤデバイスとがバスを介して接続され、前記ＡＴＭレイヤデバイスから前記物理レイヤデバイスへポーリングを行い、このポーリングに対する応答信号を受信して、前記ＡＴＭレイヤデバイスから前記物理レイヤデバイスへセルを送信するようにしたＡＴＭ装置におけるＡＴＭセル送受信制御方法であって、
前記ＡＴＭレイヤデバイスと前記物理レイヤデバイスとの間で、前記物理レイヤデバイスからの前記応答信号が受信非許可を示すものである場合には前記応答信号を前記ＡＴＭレイヤデバイスに接続するステップを実行し、その他の場合には前記応答信号が常時受信許可の状態にあるよう制御するステップを実行する、ことを特徴とするＡＴＭセル送受信制御方法。
【請求項８】
前記バスはＵＴＯＰＩＡレベル２バスであり、前記応答信号は前記物理レイヤデバイスがセル受信可能であることを示すＴｘＣＬＡＶ信号である、ことを特徴とする請求項７に記載のＡＴＭセル送受信制御方法。
【請求項９】
請求項１から請求項４の何れか１項に記載のＡＴＭセル送受信制御方式を備えることを特徴とする移動通信基地局装置。
【発明の詳細な説明】
【０００１】
【発明の属する技術分野】
本発明はＡＴＭ（Asynchronous Transfer Mode：非同期転送モード）セル送受信制御方式及びその方法並びに移動通信基地局装置に関し、特に、ＡＴＭレイヤデバイスと複数の物理レイヤデバイスとがバスを介して接続され、ＡＴＭレイヤデバイスから物理レイヤデバイスへポーリングを行い、このポーリングに対する応答信号を受信してＡＴＭレイヤデバイスと物理レイヤデバイスとの間でセルを送受信する際に、物理レイヤデバイスが実装されていない状態であっても、ＡＴＭレイヤデバイス内にセル滞留を生じさせないバスを構成することを可能とする、ＡＴＭセル送受信制御方式及びその方法並びに移動通信基地局装置に関する。
【０００２】
【従来の技術】
ＡＴＭセルの多重・分離などを行うＡＴＭ装置において、ＡＴＭレイヤデバイスと物理レイヤデバイスとの間の標準化されたインタフェースとして、ＵＴＯＰＩＡ（Universal Test and Operation PHY(Physical Layer Protocol) Interface for ATM ）と名づけられたインタフェースがＡＴＭフォーラムによって提唱されている。ＵＴＯＰＩＡのインタフェースにはいくつかのレベルがあり、そのうちのＵＴＯＰＩＡレベル２と称されるインタフェースは、主に、１つのＡＴＭレイヤデバイスと複数の物理レイヤデバイスとの間のインタフェースについて定義している。
【０００３】
ＡＴＭレイヤデバイスと複数の物理レイヤデバイスとの間でセルを送受信する際には、ＵＴＯＰＩＡレベル２インタフェースのハンドシェーク制御を利用して、ＡＴＭレイヤデバイスから物理レイヤデバイスに対するポーリングを行い、このポーリングに対する応答信号を受信してからセルの送受信を行うようになっている。
【０００４】
ＵＴＯＰＩＡレベル２インタフェースのハンドシェーク制御においては、通常、ＡＴＭレイヤデバイスからのポーリングに対して、物理レイヤデバイスがセルを受信可能な状態にある場合には、応答信号としてのＴｘＣＬＡＶ信号をＨｉｇｈレベルとして送出するようになっている。そして、ＴｘＣＬＡＶ信号がＨｉｇｈレベルであることを検知したＡＴＭレイヤデバイスが該当物理レイヤデバイスに対してセルの送信を行うようになっている。
【０００５】
しかしながら、この標準的なハンドシェーク制御を利用するだけでは、所望のセル送受信制御が実現できない場合には、あえてこの応答信号の状態に関わらず、セルを送信してしまうよう制御している従来例も存在する（例えば、特許文献１参照。）。
【０００６】
この特許文献１の公報に開示されたＡＴＭセル配信方法においては、同報配信のＡＴＭセルに関しては、ＴｘＣＬＡＶ信号が受信可能を示しているか否かに関わらず、ＡＴＭレイヤデバイスからＵＴＯＰＩＡバスを介して物理レイヤデバイスに対してセルを送信するようにしている。
【０００７】
【特許文献１】
特開２００１−３０８８８４号公報（第３−５頁、図１−４）
【０００８】
【発明が解決しようとする課題】
上述した従来のＵＴＯＰＩＡレベル２インタフェースのハンドシェーク制御においては、実装されていない物理レイヤデバイスに対してセル送信の要求があった場合には、該当する物理レイヤデバイスからセル受信可能を示す応答信号（ＴｘＣＬＡＶ）が返されないため、セルを送信しようとしているＡＴＭレイヤデバイス内にセルが滞留し、セル滞留が発生しつづけてＡＴＭレイヤデバイスの備えるバッファが満杯になってしまい、実装されている物理レイヤデバイスに対してもセルを送信することが出来なくなってしまう、という欠点を有している。
【０００９】
この状況に付き、図６を参照して更に詳細に説明する。
【００１０】
なお、以降の説明における前提として、上述のＡＴＭ装置は、図１に示すような移動通信基地局装置に適用されているものであるとする。そして、図１に示す移動通信基地局装置１００は、ＡＴＭレイヤデバイスであるところのＡＴＭスイッチ１０と、物理レイヤデバイスであるところの複数の送受信機２０とが、ＵＴＯＰＩＡレベル２インタフェースで規定されるＵＴＯＰＩＡバス５０を介して接続されているものとする。ＡＴＭスイッチ１０及び送受信機２０は、移動通信基地局装置１００に実装されるカード構成をとっており、挿抜可能な構造となっている。ＵＴＯＰＩＡバス５０は、移動通信基地局装置１００のバックボードにて配線されている。送受信機２０は、送受信機（０）２０−０から送受信機（３０）２０−３０までの３１個が実装可能である。従って、場合によっては、送受信機（０）から送受信機（４）及び送受信機（１１）から送受信機（３０）までは移動通信基地局装置１００内に実装され、送受信機（５）２０−５から送受信機（１０）２０−１０までは実装されない、という状態も有り得るものである。
【００１１】
図６は、従来のＵＴＯＰＩＡレベル２インタフェースのハンドシェーク制御のタイミングチャートであり、ＡＴＭスイッチ１０から送受信機２０へセルを送信する下りバスのタイミングチャートを示すものである。
【００１２】
ＵＴＯＰＩＡレベル２インタフェースにおいては、送受信機２０は、ＡＴＭスイッチ１０のポーリングに対して、セルが受信できる状態にある時にはＴｘＣＬＡＶ信号を受信許可（Ｈ（Ｈｉｇｈ）レベル）で出力し、セルが受信できない状態にある時には受信非許可（Ｌ（Ｌｏｗ）レベル）を出力する。ここで、「送受信機（Ｎ＋３）２０−ｎ＋３が実装されていない」という前提で説明する。なお、以下の説明においては、各送受信機２０に付した参照符号（２０−ｎ＋３など）は省略し、また、図中においては、送受信機を「ＰＨＹ」と略記するものとする。
【００１３】
ＡＴＭスイッチ１０は、送受信機（Ｎ＋１）へのセル送信中に（図６の（チ））ポーリングをして各送受信機（ＰＨＹ）からのＴｘＣＬＡＶ信号を検出する。ＡＴＭスイッチ１０は、図６（ロ）のＴｘＣｌｋ「２」の時に、図６（ハ）のＴｘＡＤＤＲに送受信機（Ｎ＋２）のアドレス（Ｎ＋２）を出力してポーリングを行い、このポーリングに応答して、送受信機（Ｎ＋２）は、ＴｘＣｌｋ「３」の時に、セル受信が可能なため図６（ニ）のＴｘＣＬＡＶ信号を受信許可（Ｈレベル）で通知している。
【００１４】
以下同様に、実装されている送受信機（Ｎ−３）、送受信機（Ｎ−２）、送受信機（Ｎ−１）、送受信機（Ｎ＋１）、送受信機（Ｎ）からも、ＴｘＣＬＡＶ信号が受信許可（Ｈレベル）にて通知されているが、送受信機（Ｎ＋３）は実装されていないので、ＴｘＣｌｋ「１０」のポーリングに対しＴｘＣｌｋ「１１」の時にＴｘＣＬＡＶ信号を通知することができない。
【００１５】
従って、仮にＴｘＣｌｋ「２」の時に送受信機（Ｎ）宛てと送受信機（Ｎ＋３）宛てのセルが、ＡＴＭスイッチ１０に入力されたとしても、送受信機（Ｎ＋３）のアドレスが送受信機（Ｎ）のアドレスより先にあるにも関わらず、ＴｘＣｌｋ「１１」の時にＴｘＣＬＡＶ信号が無い（Ｌレベルである）ため、ＡＴＭスイッチ１０は、送受信機（Ｎ＋３）へのセル送信は行わない。
【００１６】
次に、ＴｘＣｌｋ「１５」の時の送受信機（Ｎ）からのＴｘＣＬＡＶ信号が受信許可（Ｈレベル）であるために、ＡＴＭスイッチ１０は、送受信機（Ｎ＋１）へのセル送信が完了したＴｘＣｌｋ「１７」の時点から送受信機（Ｎ）宛てのセル送信を開始している（図６（ヘ）のＴｘＤＡＴＡによる）。このとき、ＡＴＭスイッチ１０には、送受信機（Ｎ＋３）宛てのセルが滞留してしまうこととなる。
【００１７】
以上説明したように、図１に示す移動通信基地局装置１００内において、ＡＴＭ標準のＵＴＯＰＩＡレベル２インタフェースをそのまま使用し、マルチＰＨＹ（複数の送受信機）構成の実現を行う場合、以下のような問題点を有するものとなる。
【００１８】
第１の問題点は、ＡＴＭスイッチ内に、実装されていない送受信機へのセル滞留が発生しまうということである。セル滞留が発生しつづけてＡＴＭスイッチの備えるバッファが満杯となり、ＡＴＭスイッチは、実装されている送受信機に対してもセルを送信することができなくなってしまう。その理由は、装置を構成する上で、送受信機が常時実装されているとは限らないために、仮に送受信機（Ｎ＋３）が実装されていないとすると、ＡＴＭスイッチは送受信機（Ｎ＋３）からのＴｘＣＬＡＶ信号を検出することができず、従って、送受信機（Ｎ＋３）宛てのセルが入力されるとＡＴＭスイッチ内に溜め込み続けてしまうからである。
【００１９】
第２の問題点は、送受信機が他の送受信機の実装状態を把握しておかなければならないということである。その理由は、第１の問題点で挙げているように、或る送受信機が実装されていない送受信機に対してセルを送信してしまうと、ＡＴＭスイッチ内にセル滞留を発生させてしまうためである。
【００２０】
本発明は、上述した事情を改善する為に成されたものであり、従って本発明の目的は、ＡＴＭレイヤデバイスと複数の物理レイヤデバイスとがバスを介して接続され、ＡＴＭレイヤデバイスから物理レイヤデバイスへポーリングを行い、このポーリングに対する応答信号を受信してＡＴＭレイヤデバイスと物理レイヤデバイスとの間でセルを送受信する際に、物理レイヤデバイスが実装されていない状態であっても、ＡＴＭレイヤデバイス内にセル滞留を生じさせないバスを構成することを可能とする、ＡＴＭセル送受信制御方式及びその方法並びに移動通信基地局装置を提供することにある。
【００２１】
【課題を解決するための手段】
請求項１に係わる発明は、ＡＴＭ（Asynchronous Transfer Mode：非同期転送モード）レイヤデバイスと複数の物理レイヤデバイスとがバスを介して接続され、前記ＡＴＭレイヤデバイスから前記物理レイヤデバイスへポーリングを行い、このポーリングに対する応答信号を受信して、前記ＡＴＭレイヤデバイスから前記物理レイヤデバイスへセルを送信するようにしたＡＴＭ装置におけるＡＴＭセル送受信制御方式であって、
前記ＡＴＭレイヤデバイスは、前記物理レイヤデバイスからの前記応答信号を前記ＡＴＭレイヤデバイスに接続せず、前記応答信号が常時受信許可の状態にあるよう制御する制御手段を備える、ことを特徴とするＡＴＭセル送受信制御方式である。
【００２２】
請求項２に係わる発明は、請求項１に記載のＡＴＭセル送受信制御方式であって、前記バスはＵＴＯＰＩＡ（Universal Test and Operation PHY(Physical Layer Protocol) Interface for ATM ）レベル２バスであり、前記応答信号は前記物理レイヤデバイスがセル受信可能であることを示すＴｘＣＬＡＶ信号である、ことを特徴とする。
【００２３】
請求項３に係わる発明は、ＡＴＭレイヤデバイスと複数の物理レイヤデバイスとがバスを介して接続され、前記ＡＴＭレイヤデバイスから前記物理レイヤデバイスへポーリングを行い、このポーリングに対する応答信号を受信して、前記ＡＴＭレイヤデバイスから前記物理レイヤデバイスへセルを送信するようにしたＡＴＭ装置におけるＡＴＭセル送受信制御方式であって、
前記ＡＴＭレイヤデバイスと前記物理レイヤデバイスとの間に、前記物理レイヤデバイスからの前記応答信号が受信非許可を示すものである場合には前記応答信号を前記ＡＴＭレイヤデバイスに接続し、その他の場合には前記応答信号が常時受信許可の状態にあるよう制御する制御回路を備える、ことを特徴とするＡＴＭセル送受信制御方式である。
【００２４】
請求項４に係わる発明は、請求項３に記載のＡＴＭセル送受信制御方式であって、前記バスはＵＴＯＰＩＡレベル２バスであり、前記応答信号は前記物理レイヤデバイスがセル受信可能であることを示すＴｘＣＬＡＶ信号である、ことを特徴とする。
【００２５】
請求項５に係わる発明は、ＡＴＭレイヤデバイスと複数の物理レイヤデバイスとがバスを介して接続され、前記ＡＴＭレイヤデバイスから前記物理レイヤデバイスへポーリングを行い、このポーリングに対する応答信号を受信して、前記ＡＴＭレイヤデバイスから前記物理レイヤデバイスへセルを送信するようにしたＡＴＭ装置におけるＡＴＭセル送受信制御方法であって、
前記ＡＴＭレイヤデバイスは、前記物理レイヤデバイスからの前記応答信号を前記ＡＴＭレイヤデバイスに接続せず、前記応答信号が常時受信許可の状態にあるよう制御するステップを実行する、ことを特徴とするＡＴＭセル送受信制御方法である。
【００２６】
請求項６に係わる発明は、請求項５に記載のＡＴＭセル送受信制御方法であって、前記バスはＵＴＯＰＩＡレベル２バスであり、前記応答信号は前記物理レイヤデバイスがセル受信可能であることを示すＴｘＣＬＡＶ信号である、ことを特徴とする。
【００２７】
請求項７に係わる発明は、ＡＴＭレイヤデバイスと複数の物理レイヤデバイスとがバスを介して接続され、前記ＡＴＭレイヤデバイスから前記物理レイヤデバイスへポーリングを行い、このポーリングに対する応答信号を受信して、前記ＡＴＭレイヤデバイスから前記物理レイヤデバイスへセルを送信するようにしたＡＴＭ装置におけるＡＴＭセル送受信制御方法であって、
前記ＡＴＭレイヤデバイスと前記物理レイヤデバイスとの間で、前記物理レイヤデバイスからの前記応答信号が受信非許可を示すものである場合には前記応答信号を前記ＡＴＭレイヤデバイスに接続するステップを実行し、その他の場合には前記応答信号が常時受信許可の状態にあるよう制御するステップを実行する、ことを特徴とするＡＴＭセル送受信制御方法である。
【００２８】
請求項８に係わる発明は、請求項７に記載のＡＴＭセル送受信制御方法であって、前記バスはＵＴＯＰＩＡレベル２バスであり、前記応答信号は前記物理レイヤデバイスがセル受信可能であることを示すＴｘＣＬＡＶ信号である、ことを特徴とする。
【００２９】
請求項９に係わる発明は、請求項１から請求項４の何れか１項に記載のＡＴＭセル送受信制御方式を備えることを特徴とする移動通信基地局装置である。
【００３０】
【発明の実施の形態】
次に、本発明の実施の形態について図面を参照して説明する。
【００３１】
図１は、本発明のＡＴＭセル送受信制御方式の一実施形態を示すブロック図である。
【００３２】
図１に示す本実施の形態は、ＡＴＭ（Asynchronous Transfer Mode：非同期転送モード）セル送受信制御方式が、移動通信基地局装置に適用された場合の一例を示すものであり、移動通信基地局装置１００は、ＡＴＭレイヤデバイスであるところのＡＴＭスイッチ１０と、物理レイヤデバイスであるところの複数の送受信機２０とから構成されている。そして、ＡＴＭスイッチ１０と送受信機２０とは、ＵＴＯＰＩＡ（Universal Test and Operation PHY(Physical Layer Protocol) Interface for ATM ）レベル２インタフェースで規定されるＵＴＯＰＩＡバス５０を介して接続されている。
【００３３】
ＡＴＭスイッチ１０及び送受信機２０は、移動通信基地局装置１００に実装されるカード構成をとっており、挿抜可能な構造となっている。ＵＴＯＰＩＡバス５０は、移動通信基地局装置１００のバックボードにて配線されている。送受信機２０は、送受信機（０）２０−０から送受信機（３０）２０−３０までの３１個が実装可能である。従って、場合によっては、送受信機（０）から送受信機（４）及び送受信機（１１）から送受信機（３０）までは移動通信基地局装置１００内に実装され、送受信機（５）２０−５から送受信機（１０）２０−１０までは実装されない、という状態も有り得るものである。
【００３４】
なお、以降の説明において、ＡＴＭスイッチ１０を、ＵＴＯＰＩＡレベル２のマスタとして動作するものであるため、「ＵＴＯＰＩＡマスタ」とも称し、送受信機２０を、ＵＴＯＰＩＡレベル２のスレーブとして動作するものであるため、「ＵＴＯＰＩＡスレーブ」とも称するものとする。
【００３５】
次に、図２を参照して、本実施形態におけるＡＴＭスイッチ１０と各送受信機２０との、下りバス、すなわち、ＡＴＭスイッチ１０から送受信機２０へセルを送信する際のバスの構成（Ｔｘ側）について説明する。
【００３６】
図２は、本実施形態の下りバスの構成の一例を説明するブロック図である。
【００３７】
図２において、ＡＴＭスイッチ１０と送受信機（Ｎ）２０−ｎとがＵＴＯＰＩＡバス５０を介して接続されている。なお、送受信機（Ｎ）２０−ｎ以外の他の送受信機２０も、同様のＵＴＯＰＩＡバス５０を介してＡＴＭスイッチ１０と接続されるものであるが、他の送受信機２０の図示は省略しているものである。
【００３８】
ＡＴＭスイッチ１０と送受信機（Ｎ）２０−ｎとは、ＴｘＡＤＤＲ［０〜４］、ＴｘＤＡＴＡ［０〜７］、ＴｘＳＯＣ、ＴｘＥＮＢの各信号線で接続されているが、送受信機（Ｎ）２０−ｎからのＴｘＣＬＡＶ信号はＡＴＭスイッチ１０には接続されずに（図２のＣ１）、ＡＴＭスイッチ１０側でＨ固定（Ｈｉｇｈレベルで固定）としている（図２のＣ２）。
【００３９】
ここで、下りバスを構成する各信号線について説明を行っておく。
【００４０】
図２において、ＴｘＡＤＤＲ信号は各送受信機２０を表すアドレス（以下ＵＴＯＰＩＡアドレスという）で、５ビット（ＴｘＡＤＤＲ［０〜４］の［０〜４］が、０ビット目から４ビット目までの５ビットであることを示している）で構成されているため、送受信機２０のアドレス「０（ゼロ）」から「３０」までを表すことが可能である（「３１」（１６進数で記すと「１Ｆｈ」である）は予約語となっており、アドレスとしては使用不可である）。
【００４１】
ＴｘＤＡＴＡは、８ビットパラレル（［０〜７］）で１セル長５３バイト（１セルの送信に５３クロックを要す）分のＡＴＭセルデータであり、ＴｘＳＯＣ信号はセルの先頭を１クロック幅の「Ｈ（Ｈｉｇｈ）レベル」で示すセルパルス信号、ＴｘＥＮＢ信号はセルデータの有効性を「Ｌ（Ｌｏｗ）レベル」で示すイネーブル信号である。
【００４２】
ＴｘＣＬＡＶ信号は、上述したように、本実施形態においてはＡＴＭスイッチ１０側でＨ固定としている。通常のＵＴＯＰＩＡレベル２インタフェースにおいては、ポーリングによりＴｘＡＤＤＲ［０〜４］で示された送受信機２０におけるセルの受信可否を表す信号であり、「Ｈレベル」で受信許可を示し、「Ｌレベル」で受信非許可を示すようになっている。
【００４３】
次に、図３を参照して、本実施形態の動作について説明する。
【００４４】
通常のＵＴＯＰＩＡレベル２インタフェースの下りバスにおいて、ＵＴＯＰＩＡスレーブは、ＵＴＯＰＩＡマスタからポーリングされるＵＴＯＰＩＡアドレスをモニタし、自己のＵＴＯＰＩＡアドレスがきた次のクロックで、セルの受信が可能であればＴｘＣＬＡＶ信号を受信許可（Ｈレベル）でＵＴＯＰＩＡマスタに対して通知する。ＵＴＯＰＩＡマスタは、ＵＴＯＰＩＡスレーブからのＴｘＣＬＡＶ信号の受信許可（Ｈレベル）を検出し、ＵＴＯＰＩＡスレーブ宛てのセルがあるときにはＴｘＥＮＢ信号をアサートし、ＵＴＯＰＩＡスレーブにセルを受信する準備をさせてから、セルをＵＴＯＰＩＡスレーブに対して送信する。ＵＴＯＰＩＡマスタはセルの先頭を示すＴｘＳＯＣ信号も送信し、ＵＴＯＰＩＡスレーブはＴｘＳＯＣ信号が送信されたタイミングからセルの受信を開始する。
【００４５】
図３は、本実施形態の動作を説明する下りバスのタイミングチャートである。
【００４６】
送受信機２０は、ＡＴＭスイッチ１０によりポーリングされるＵＴＯＰＩＡアドレスをモニタし、自己のＵＴＯＰＩＡアドレスがきた次のクロックで、セルの受信が可能であればＴｘＣＬＡＶ信号を受信許可（Ｈレベル）でＡＴＭスイッチ１０に対して通知するが、本実施形態においては、各送受信機２０からのＴｘＣＬＡＶ信号を接続しておらず、ＡＴＭスイッチ１０内で、ＴｘＣＬＡＶ信号を常時受信許可に固定している（Ｈ固定）ので、ＡＴＭスイッチ１０は各送受信機２０が常にセルを受信可能な状態であると認識する。
【００４７】
ここで、「送受信機（Ｎ＋３）２０−ｎ＋３が実装されていない」という前提で説明する。なお、以下の説明においては、各送受信機２０に付した参照符号（２０−ｎ＋３など）は省略し、また、図中においては、送受信機を「ＰＨＹ」と略記するものとする。
【００４８】
送受信機（Ｎ＋１）へのセル送信中に（図３の（チ））、ＡＴＭスイッチ１０はＵＴＯＰＩＡアドレスポーリングを再開する（図３の（イ））。ＡＴＭスイッチ１０は、図３（ロ）のＴｘＣｌｋ「２」の時に、図３（ハ）のＴｘＡＤＤＲに送受信機（Ｎ＋２）のＵＴＯＰＩＡアドレス（Ｎ＋２）を出力してポーリングを行う。このポーリングに対する応答時、すなわち、ＴｘＣｌｋ「３」の時に、図３（ニ）のＴｘＣＬＡＶ信号は、受信許可（Ｈレベル）であるため、ＡＴＭスイッチ１０は、送受信機（Ｎ＋２）がセル受信可能である事を検出する。
【００４９】
以下同様に、実装されている送受信機（Ｎ−３）、送受信機（Ｎ−２）、送受信機（Ｎ−１）、送受信機（Ｎ＋１）、送受信機（Ｎ）からも、ＴｘＣＬＡＶ信号が受信許可（Ｈレベル）にて通知されるため、該当送受信機は全てセル受信可能であるものとＡＴＭスイッチ１０は認識する。
【００５０】
そして、ＴｘＣｌｋ「１０」の時の送受信機（Ｎ＋３）へのポーリングに対しても、ＴｘＣｌｋ「１１」の時のＴｘＣＬＡＶ信号が受信許可（Ｈレベル）を示している為、送受信機（Ｎ＋３）もセル受信可能であるものと、ＡＴＭスイッチ１０は認識する（図３のＣ３）。
【００５１】
ここで、仮にＴｘＣｌｋ「２」の時に送受信機（Ｎ）宛てと送受信機（Ｎ＋３）宛てのセルが、ＡＴＭスイッチ１０に入力されたとしても、送受信機（Ｎ＋３）が実装されていないにも関わらず、ＴｘＣｌｋ「１１」の時に図３（ニ）のＴｘＣＬＡＶ信号が受信許可（Ｈレベル）であるため、ＡＴＭスイッチ１０は、送受信機（Ｎ＋１）へのセル送信が完了したＴｘＣｌｋ「１７」の時点から、送受信機（Ｎ＋３）のＵＴＯＰＩＡアドレスが送受信機（Ｎ）のＵＴＯＰＩＡアドレスよりも先に出されている為、送受信機（Ｎ＋３）を選択し（ＴｘＣＬＫ「１６」の時点でＴｘＡＤＤＲに（Ｎ＋３）を出力する事による）、送受信機（Ｎ＋３）に対してＴｘＥＮＢ信号をアサートして（図３（ホ）のＴｘＣＬＫ「１６」の時点）、セル送信を開始している（図３（ヘ）のＴｘＤＡＴＡによる）。ＡＴＭスイッチ１０は、ＴｘＣｌｋ「１７」のセル送信開始と同時に、セルの先頭を示すＴｘＳＯＣ信号も送信する（図３の（ト）、及び図３のＣ４）。
【００５２】
ＴｘＣＬＫ「１７」の時点からセル送信が行われても、当然、送受信機（Ｎ＋３）は実装されていないので、出力されたセルが引き取られることは無い。しかし、ＡＴＭスイッチ１０に送受信機（Ｎ＋３）宛てのセルが滞留することは無い。
【００５３】
以上説明したように、本実施形態によれば、ＡＴＭスイッチ１０内にセルの滞留が発生する事が無い、という効果を奏する。その理由は、ＡＴＭスイッチ１０の下りバスのＴｘＣＬＡＶ信号が、常時アクティブになっている為、仮に或る送受信機（Ｎ）が実装されていない状態であったとしても、ＡＴＭスイッチ１０からは送受信機（Ｎ）宛てのセルを送信することが可能であるからである。
【００５４】
また、或る送受信機が他の送受信機の実装状態に留意しなくて良い、という効果をも奏するものである。従って、或る送受信機が他の送受信機の実装状態を考慮し、実装されていない送受信装置に対してはセルを送信しないよう制御する、といった余分な処理を行わずに済むようになる。
【００５５】
次に、図４、図５を参照して、本発明のＡＴＭセル送受信方式の第２の実施形態について説明する。
【００５６】
図４は、第２の実施形態の下りバスの構成の一例を説明するブロック図である。なお、図４において図２に示す構成要素に対応するものは同一の参照数字または符号を付し、その説明を省略する。
【００５７】
図４に示す第２の実施形態の下りバスの構成は、第１の実施形態と同様に、図１に示した移動通信基地局装置１００に適用されるものである。
【００５８】
そして、図４において、ＡＴＭスイッチ１０と送受信機（Ｎ）２０−ｎとがＵＴＯＰＩＡバス５０を介して接続されている。なお、送受信機（Ｎ）２０−ｎ以外の他の送受信機２０も、同様のＵＴＯＰＩＡバス５０を介してＡＴＭスイッチ１０と接続されるものであるが、他の送受信機２０の図示は省略しているものである。
【００５９】
ＡＴＭスイッチ１０と送受信機（Ｎ）２０−ｎとは、ＴｘＡＤＤＲ［０〜４］、ＴｘＤＡＴＡ［０〜７］、ＴｘＳＯＣ、ＴｘＥＮＢの各信号線で接続されているが、送受信機（Ｎ）２０−ｎからのＴｘＣＬＡＶ信号は、ＣＬＡＶ制御回路３０を通じてＡＴＭスイッチ１０に接続されている。そして、ＣＬＡＶ制御回路３０は、送受信機（Ｎ）２０−ｎがセルを受信することができない時に受信非許可（Ｌレベル）をＡＴＭスイッチ１０に対して出力し（図４のＣ５）、それ以外はハイインピーダンス状態となるようになっている（図４のＣ６）。
【００６０】
次に、図５を参照して、第２の実施形態の動作について説明する。
【００６１】
図５は、第２の実施形態の動作を説明する下りバスのタイミングチャートである。なお、図５において図３に示す構成要素に対応するものは同一の参照数字または符号を付し、その説明を省略する。
【００６２】
ＡＴＭスイッチ１０内では、ＴｘＣＬＡＶ信号はプルアップされているので、各送受信機２０がセルを受信できない時のみ、ＣＬＡＶ制御回路３０によりＴｘＣＬＡＶ信号が受信非許可（Ｌレベル）の状態となり、その他の場合は、受信許可（Ｈレベル）の状態となるよう制御される。すなわち、ＡＴＭスイッチ１０は、各送受信機２０がセルを受信できない時のみ、受信非許可（Ｌレベル）であると認識し、その他の場合は、受信許可（Ｈレベル）であると認識する。
【００６３】
ここで、「送受信機（Ｎ＋３）２０−ｎ＋３が実装されていない」という前提で説明する。なお、以下の説明においては、各送受信機２０に付した参照符号（２０−ｎ＋３など）は省略し、また、図中においては、送受信機を「ＰＨＹ」と略記するものとする。
【００６４】
ＡＴＭスイッチ１０は、送受信機（Ｎ＋１）へのセル送信中に（図５の（チ））ポーリングをして（図５の（イ））、各送受信機からのＴｘＣＬＡＶ信号を検出する。図５（ロ）のＴｘＣｌｋ「２」の時に、図５（ハ）のＴｘＡＤＤＲに送受信機（Ｎ＋２）のＵＴＯＰＩＡアドレス（Ｎ＋２）を出力してポーリングを行い、このポーリングに対する応答として、送受信機（Ｎ＋２）はＴｘＣｌｋ「３」の時にセル受信ができないため、図５（ニ）のＴｘＣＬＡＶ信号を受信非許可（Ｌレベル）で通知している。
【００６５】
同様に、実装されている送受信機（Ｎ−１）でもセル受信ができないため、ＴｘＣｌｋ「９」の時にＴｘＣＬＡＶ信号が受信非許可（Ｌレベル）となっている。ＡＴＭスイッチ１０は、送受信機（Ｎ＋２）宛てと送受信機（Ｎ−１）宛てのセルが入ってきていてもセルを送信せずに、送受信機（Ｎ＋２）と送受信機（Ｎ−１）が受信許可（Ｈレベル）になるまでセルを一時格納しておく。
【００６６】
送受信機（Ｎ−３）、送受信機（Ｎ−２）、送受信機（Ｎ＋１）、送受信機（Ｎ）は受信可能であるため、ＣＬＡＶ制御回路３０はハイインピーダンス状態となり、ＡＴＭスイッチ１０は自カード内でのプルアップによりこれらの送受信機の受信許可（Ｈレベル）を認識する。
【００６７】
ここで、仮にＴｘＣｌｋ「２」の時に、送受信機（Ｎ）宛てと送受信機（Ｎ＋３）宛てのセルがＡＴＭスイッチ１０に入力されると、送受信機（Ｎ＋３）は実装されていないけれども、ＴｘＣｌｋ「１１」の時にＴｘＣＬＡＶ信号が受信許可（Ｈレベル）であるため、ＡＴＭスイッチ１０は、送受信機（Ｎ＋１）へのセル送信が完了したＴｘＣｌｋ「１７」の時点から、送受信機（Ｎ）よりもＵＴＯＰＩＡアドレスが先に出されている送受信機（Ｎ＋３）に対して、送受信機（Ｎ＋３）を選択し（ＴｘＣｌｋ「１６」の時点でＴｘＡＤＤＲに（Ｎ＋３）を出力する事による）、ＴｘＥＮＢ信号をアサートして（図５（ホ）のＴｘＣｌｋ「１６」の時点）、セル送信を開始している（図５（ヘ）のＴｘＤＡＴＡによる）。ＡＴＭスイッチ１０は、ＴｘＣｌｋ「１７」のセル送信開始と同時に、セルの先頭を示すＴｘＳＯＣ信号も送信する（図５の（ト））。
【００６８】
ＴｘＣＬＫ「１７」の時点からセル送信が行われても、当然、送受信機（Ｎ＋３）は実装されていないので、出力されたセルが引き取られることは無い。しかし、ＡＴＭスイッチ１０に送受信機（Ｎ＋３）宛てのセルが滞留することは無い。
【００６９】
以上説明したように、本発明の第２の実施形態によれば、ＡＴＭスイッチ１０が、送受信機２０の備えるセル受信用のＦＩＦＯバッファの状態も確認しながら、セル送信を行う事が可能となるという新たな効果を奏するものとなる。その理由は、送受信機２０の備えるＦＩＦＯバッファが満杯の時は、該送受信機２０からのＴｘＣＬＡＶ信号が受信非許可（Ｌレベル）となるからである。
【００７０】
【発明の効果】
以上説明したように、本発明のＡＴＭセル送受信制御方式及びその方法並びに移動通信基地局装置は、ＡＴＭレイヤデバイスであるところのＡＴＭスイッチの下りバスのＴｘＣＬＡＶ信号が、常時アクティブになっている為、物理レイヤデバイスであるところの或る送受信機が実装されていない状態であったとしても、ＡＴＭスイッチからは該当送受信機宛てのセルを送信することが可能であるため、ＡＴＭスイッチ内にセルの滞留が発生する事が無い、という効果を有している。
【００７１】
また、ＡＴＭスイッチが、実装されている送受信機の備えるセル受信用のバッファの状態を確認しながら、セル送信を行う事が可能となる、という効果をも有している。
【図面の簡単な説明】
【図１】本発明のＡＴＭセル送受信制御方式の一実施形態を示すブロック図である。
【図２】本実施形態の下りバスの構成の一例を説明するブロック図である。
【図３】本実施形態の動作を説明する下りバスのタイミングチャートである。
【図４】第２の実施形態の下りバスの構成の一例を説明するブロック図である。
【図５】第２の実施形態の動作を説明する下りバスのタイミングチャートである。
【図６】従来のＵＴＯＰＩＡレベル２インタフェースのハンドシェーク制御のタイミングチャートである。
【符号の説明】
１０    ＡＴＭスイッチ
２０    送受信機
３０    ＣＬＡＶ制御回路
５０    ＵＴＯＰＩＡバス
１００    移動通信基地局装置
【図１】
2004207966.tif 000003
【図２】
2004207966.tif 000004
【図３】
2004207966.tif 000005
【図４】
2004207966.tif 000006
【図５】
2004207966.tif 000007
【図６】
2004207966.tif 000008